【手続補正書】
【提出日】令和3年10月28日(2021.10.28)
【手続補正１】
【補正対象書類名】特許請求の範囲
【補正対象項目名】全文
【補正方法】変更
【補正の内容】
【特許請求の範囲】
【請求項１】
断熱性多層化組成物を被覆した基体において、この多層化組成物が以下の（ａ）、（ｂ）および（ｃ）を有することを特徴とする基体。
（ａ）前記基体の表面に設層され、遊離水酸基を結合できる少なくとも一つの無機化合物および／または有機化合物を有し、ただしこの有機化合物がシロキサンでない改質層、
（ｂ）前記改質層に設層された少なくとも一つの内層であって、
（ｉ）一つかそれ以上のステロール基で置換した少なくとも一つの単糖類または多糖類を有する第１層、および
（ｉｉ）少なくとも一つの無機酸化物を有する適宜使用する第２層を有する少なくとも一つの内層、および
（ｃ）前記内層に設層され、炭化水素、無水物、アクリル、置換したポリウレタン、これらの誘導体、およびこれら組み合わせのモノマーまたはポリマーを有する少なくとも一つの外層。
【請求項２】
前記基体の表面に遊離水酸基を有する請求項１に記載の基体。
【請求項３】
前記基体がガラスまたはセラミックである請求項２に記載の基体。
【請求項４】
前記基体が開放容器または密閉容器として形成され、前記多層化組成物をこの開放容器または密閉容器の外面に設層した請求項１〜３のいずれか１項に記載の基体。
【請求項５】
前記多層化組成物の内層数が１、２、３、または４である請求項１〜４のいずれか１項に記載の基体。
【請求項６】
断熱性多層化組成物を被覆した基体において、この多層化組成物が以下の（ａ）、（ｂ）および（ｃ）を有することを特徴とする基体。
（ａ）前記基体の表面に設層され、遊離水酸基を結合できる少なくとも一つの無機化合物および／または有機化合物を有し、ただしこの有機化合物がシロキサンでない改質層、
（ｂ）前記改質層に設層された一つの内層であって、
（ｉ）一つかそれ以上のステロール基で置換した少なくとも一つの単糖類または多糖類を有する内層、および
（ｃ）前記内層に設層され、炭化水素、無水物、アクリル、置換したポリウレタン、これらの誘導体、およびこれら組み合わせのモノマーまたはポリマーを有する一つの適宜使用する外層。
【請求項７】
前記改質層がＴｉＣｌ４を有する請求項１〜６のいずれか１項に記載の基体。
【請求項８】
前記改質層がさらにＴｉＯ２、ＳｉＯ２、ＩｎＳｎＯ２、およびＺｎＯからなる群から選択する少なくとも一つの無機酸化物を有する請求項７に記載の基体。
【請求項９】
前記内層の前記適宜使用する第２層がＴｉＯ２、ＳｉＯ２、ＩｎＳｎＯ２、およびＺｎＯからなる群から選択する少なくとも一つの無機酸化物を有する請求項１〜８のいずれか１項に記載の基体。
【請求項１０】
前記無機酸化物がＴｉＯ２である請求項９に記載の基体。
【請求項１１】
前記改良層が有機化合物を有する請求項１に記載の基体。
【請求項１２】
前記内層の前記第１層が、コレステロール、エルゴステロール、コルチゾール、およびこれらの組み合わせからなる群から選択する一つかそれ以上のステロール基で置換した単糖類または多糖類を有する請求項１に記載の基体。
【請求項１３】
前記内層の前記第１層が、一つかそれ以上のステロール基で適宜置換したプルランまたはセルロースを有する請求項１に記載の基体。
【請求項１４】
前記内層の前記第１層が、コレステロールで置換したプルランまたはコレステロールで置換したセルロースを有する請求項１に記載の基体。
【請求項１５】
前記の少なくとも一つの外層が置換したポリウレタン、ポリビニル、ポリ乳酸またはポリエチレン、あるいはこれらの混合物を有する請求項１に記載の基体。
【請求項１６】
前記の少なくとも一つの外層が置換したポリウレタンを有する請求項１５に記載の基体。
【請求項１７】
前記ポリウレタンが置換された分岐ポリウレタンである請求項１５に記載の基体。
【請求項１８】
前記の置換された分岐ポリウレタンが、ベンゾチアゾールで置換された分岐ポリウレタンである請求項１７に記載の基体。
【請求項１９】
前記のベンゾチアゾールで置換された分岐ポリウレタンの置換度が約０％〜約１０％である請求項１８に記載の基体。
【請求項２０】
前記置換度が３％である請求項１９に記載の基体。
【請求項２１】
以下の（ａ）、（ｂ）および（ｃ）からなる群から選択した多層化組成物で被覆したことを特徴とする被覆基体。
（ａ）基体−ＴｉＣｌ４−（ＴｉＯ２）ｎ−ＴｉＣｌ４−（セルロース）ｍ−Ｒ
（ｂ）基体−ＴｉＣｌ４−（ＴｉＯ２）ｎ−ＴｉＣｌ４−（プルラン）ｘ−Ｒ
（ｃ）基体−ＴｉＣｌ４−（ＴｉＯ２）ｎ−ＴｉＣｌ４−（セルロース）ｍ−（ＴｉＯ２）ｙ−（プルラン）ｘ−Ｒ
但し、ｎ、ｍ、ｘ、およびｙは各層の被覆数を表し、ｎ、ｍ、ｘ、およびｙのそれぞれは独立して１に等しいか、それ以上の整数であり、そしてＲはポリウレタン、ポリビニル、ポリ乳酸、またはポリエチレン、またはこれらの組み合わせを有する外層である。
【請求項２２】
請求項１に記載の基体を製造する方法において、
（ａ）少なくとも一種の無機化合物および／または有機化合物を有する組成物を前記基体に被覆し、その組成物が下記ｉ）ｉｉ）の少なくとも一つの能力を有する工程であり、
ｉ）遊離水酸基を結合する能力、
ｉｉ）アニオン性官能基を生成する能力、
改質層を形成する工程、
（ｂ）適宜一つかそれ以上のステロール基で置換した少なくとも一種の単糖類または多糖類を有する組成物で、工程（ａ）で生成した前記改質層を有する前記基体を被覆し、内層を形成する工程、そして、任意に工程（ａ）および（ｂ）のいずれかを、あるいは両方を一回以上繰り返してＴｉＯ２の層を形成する工程、および
（ｃ）炭化水素、無水物、アクリル、ウレタンおよびこれらの組み合わせのモノマーまたはポリマーを有する組成物で、工程（ｂ）で形成した前記基体を被覆し、少なくとも一つの外層を形成する工程
によって多層化組成物で被覆された前記基体を製造する方法。
【請求項２３】
請求項１〜２０のいずれか１項に記載の多層化組成物で基体を被覆する、断熱性および耐熱性を改善する方法。
【請求項２４】
前記基体を開放容器または密閉容器として構成し、この開放容器または密閉容器の外面に前記多層化組成物を設層する請求項２２に記載の方法。
【請求項２５】
表面に遊離水酸基を有する基体の断熱性および耐熱性を改善する方法において、
（ａ）前記基体の遊離水酸基を結合できる少なくとも一種の無機化合物および／または有機化合物を有する組成物で前記基体に被覆し、前記基体に設層される改質層を形成する工程、
（ｂ）適宜一つかそれ以上のステロール基で置換した少なくとも一種の単糖類または多糖類を有する組成物で、工程（ａ）において生成した前記改質層を有する前記基体を被覆し、場合によってＴｉＯ２を有する層を設層し、内層を形成する工程であって、工程（ａ）および（ｂ）のいずれかを、あるいは両方を一回かそれ以上繰り返す工程、および
（ｃ）炭化水素、無水物、アクリル、ウレタン、これらの誘導体、およびこれらの組み合わせのモノマーまたはポリマーを有する組成物で、工程（ｂ）で形成した前記基体を被覆し、外層を形成する工程によって、多層化組成物を基体に被覆することを特徴とする方法。
【請求項２６】
前記基体を開放容器または密閉容器として構成し、この開放容器または密閉容器の外面に前記多層化組成物を設層する請求項２５に記載の方法。
【請求項２７】
請求項２０に記載の多層化組成物で基体を被覆する、断熱性および耐熱性を改善する方法。
【請求項２８】
前記基体を開放容器または密閉容器として構成し、この開放容器または密閉容器の外面に前記多層化組成物を設層する請求項２７に記載の方法。
【請求項２９】
前記内層の層厚が約３μｍ〜１０００μｍである請求項１〜２０のいずれか１項に記載の基体。
【請求項３０】
前記内層の層厚が約２００μｍ〜６００μｍである請求項１〜２０および２１のいずれか１項に記載の基体。
【請求項３１】
前記外層の層厚が約１μｍ〜４０μｍである請求項１〜２０、２１および３０のいずれか１項に記載の基体。
【請求項３２】
前記外層の層厚が約１μｍ〜１０μｍである請求項１〜２０、２１および３０、３１のいずれか１項に記載の基体。
【請求項３３】
基体の外面に被覆され、断熱性を確保する組成物において、
（ａ）前記基体の表面に設層され、遊離水酸基を結合できる少なくとも一つの無機化合物および／または有機化合物を有し、ただしこの有機化合物がシロキサンでない改質層、
（ｂ）前記改質層に設層された少なくとも一つの内層であって、
（ｉ）一つかそれ以上のステロール基で置換した少なくとも一つの単糖類または多糖類を有する第１層、および
（ｉｉ）少なくとも一つの無機酸化物を有する適宜使用する第２層を有する少なくとも一つの内層、および
（ｃ）前記内層に設層され、炭化水素、無水物、アクリル、置換したポリウレタン、これらの誘導体、およびこれらの組み合わせのモノマーまたはポリマーを有する少なくとも一つの外層を有し、前記基体の外面に少なくとも一つの水酸基が存在することを特徴とする組成物。
【請求項３４】
前記組成物の内層数が１、２、３、または４である請求項３３に記載の組成物。
【請求項３５】
基体の外面に被覆され、断熱性を確保する組成物であって、
（ａ）前記基体の表面に設層され、遊離水酸基を結合できる少なくとも一つの無機化合物および／または有機化合物を有し、ただしこの有機化合物がシロキサンでない改質層、
（ｂ）前記改質層に設層された一つの内層であって、
（ｉ）一つかそれ以上のステロール基で置換した一つの単糖類または多糖類を有する第１層、および
（ｉｉ）少なくとも一つの無機酸化物を有する適宜使用する第２層を有する内層、および
（ｃ）前記内層に設層され、炭化水素、無水物、アクリル、置換したポリウレタン、これらの誘導体、およびこれらの組み合わせのモノマーまたはポリマーを有し、適宜使用する少なくとも一つの外層を有し、
前記基体の外面に少なくとも一つの水酸基が存在することを特徴とする組成物。
【請求項３６】
前記改質層がＴｉＣｌ４を有する請求項３３〜３５のいずれか１項に記載の組成物。
【請求項３７】
前記改質層が、さらにＴｉＯ２、ＳｉＯ２、ＩｎＳｎＯ２、およびＺｎＯからなる群から選択する少なくとも一つの無機酸化物を有する請求項３３〜３６のいずれか１項に記載の組成物。
【請求項３８】
前記内層の前記適宜使用する第２層が、ＴｉＯ２、ＳｉＯ２、ＩｎＳｎＯ２、およびＺｎＯからなる群から選択する少なくとも一つの無機酸化物を有する請求項３３〜３７のいずれか１項に記載の組成物。
【請求項３９】
前記無機酸化物がＴｉＯ２である請求項３３〜３８のいずれか１項に記載の組成物。
【請求項４０】
前記改良層が有機化合物を有する請求項３３〜３９のいずれか１項に記載の組成物。
【請求項４１】
前記内層の前記第１層が、コレステロール、エルゴステロール、コルチゾール、およびこれらの組み合わせからなる群から選択する一つかそれ以上のステロール基で置換した単糖類または多糖類を有する請求項３３〜４０のいずれか１項に記載の組成物。
【請求項４２】
前記内層の前記第１層が、一つかそれ以上のステロール基で適宜置換したプルランまたはセルロースを有する請求項３３〜４１のいずれか１項に記載の組成物。
【請求項４３】
前記内層の前記第１層が、コレステロールで置換したプルランまたはコレステロールで置換したセルロースを有する請求項３３〜４１のいずれか１項に記載の組成物。
【請求項４４】
前記の少なくとも一つの外層が置換したポリウレタン、ポリビニル、ポリ乳酸またはポリエチレン、あるいはこれらの混合物を有する請求項３３〜４３のいずれか１項に記載の組成物。
【請求項４５】
前記の少なくとも一つの外層がポリウレタンを有する請求項３３〜４４のいずれか１項に記載の組成物。
【請求項４６】
前記置換したポリウレタンが置換された分岐ポリウレタンである請求項４４〜４５のいずれか１項に記載の組成物。
【請求項４７】
前記の置換された分岐ポリウレタンが、ベンゾチアゾールで置換した分岐ポリウレタンである請求項４６に記載の組成物。
【請求項４８】
前記のベンゾチアゾールで置換した分岐ポリウレタンの置換度が約０％〜約１０％である請求項４６〜４７のいずれか１項に記載の組成物。
【請求項４９】
前記置換度が３％である請求項４８に記載の組成物。
【請求項５０】
前記多糖類のステロール置換度が０〜３０％である請求項１〜２０および２９〜３２のいずれか１項に記載の基体。
【請求項５１】
前記多糖類のステロール置換度が１〜５％である請求項１〜２０および２９〜３２のいずれか１項に記載の基体。
【請求項５２】
前記多糖類のステロール置換度が０〜３０％である請求項２１に記載の被覆基体。
【請求項５３】
前記多糖類のステロール置換度が１〜５％である請求項２１に記載の被覆基体。
【請求項５４】
前記多糖類のステロール置換度が０〜３０％である請求項２２〜２８のいずれか１項に記載の方法。
【請求項５５】
前記多糖類のステロール置換度が１〜５％である請求項２２〜２８のいずれか１項に記載の方法。
【請求項５６】
前記多糖類のステロール置換度が０〜３０％である請求項３３〜４９のいずれか１項に記載の組成物。
【請求項５７】
前記多糖類のステロール置換度が１〜５％である請求項３３〜４９のいずれか１項に記載の組成物。